(57)【要約】【課題】洗濯機の洗濯槽のような、振動を発生する装置を、軸４を介して弾性的に支持するものにおいて、軸４を支持する支持装置の防振機能を高める。【解決手段】洗濯槽を吊支する複数の吊軸４の上端４ａには、Ｌ字形に屈曲した被吊支部４１が形成されており、外筐１の支持ステー８は、吊軸４を遊挿可能な穴８ａを有する。防振支持装置１０は、支持ステー８に挿通される吊軸４の上部に、支持ステー８の上面に支持される鍔部１４２を有するカラー１４が外挿され、鍔部１４２の上側に位置して、吊軸４に設けたホルダ１５との間に、ゴム状弾性材料からなる弾性体１１Ｉを介在させた構造を備える。【選択図】　図１３
2004084921.tif 000002
【特許請求の範囲】
【請求項１】
支持ステー（８）に挿通された軸（４）に、前記支持ステー（８）の上側に位置して外挿され、前記軸（４）に設けた被吊支部（４１）との間に介在されたゴム状弾性材料からなる弾性体（１１Ａ〜１１Ｇ）を備えることを特徴とする防振支持装置。
【請求項２】
弾性体が、相対的に硬質のゴム状弾性材料で成形された下部硬質弾性体（１１Ａ）と、相対的に軟質のゴム状弾性材料で成形された上部軟質弾性体（１１Ｂ）とからなることを特徴とする請求項１に記載の防振支持装置。
【請求項３】
弾性体が、相対的に硬質のゴム状弾性材料で成形された下部硬質弾性体（１１Ａ）及び上部硬質弾性体（１１Ｃ）と、前記下部硬質弾性体（１１Ａ）及び上部硬質弾性体（１１Ｃ）の間にあって、相対的に軟質のゴム状弾性材料で成形された中間軟質弾性体（１１Ｄ）とからなることを特徴とする請求項１に記載の防振支持装置。
【請求項４】
弾性体（１１Ｇ）が、支持ステー（８）の上面に転動可能に載置される円筒体（１３）の内周に設けられ、軸（４）の被吊支部（４１）が、前記弾性体（１１Ｇ）の内周に挿通されたことを特徴とする請求項１に記載の防振支持装置。
【請求項５】
軸（４）が、支持ステー（８）の上面に転動可能に載置された球体（１２）に遊挿され、弾性体（１１Ｆ）が、前記軸（４）の被吊支部（４１）と前記球体（１２）との間に挿通されたことを特徴とする請求項１に記載の防振支持装置。
【請求項６】
支持ステー（８）の上面に接触される弾性体（１１Ａ，１１Ｅ）の下面（１１ｂ）が、湾曲した凸面をなすことを特徴とする請求項１〜３のいずれかに記載の防振支持装置。
【請求項７】
弾性体（１１Ｇ）における軸（４）の被吊支部（４１）が挿通された位置の両側にすぐり（１１ｃ，１１ｄ）が形成されたことを特徴とする請求項４に記載の防振支持装置。
【請求項８】
弾性体（１１Ｆ）が、球体（１２）の軸孔（１２ａ）とその内周に挿通された軸（４）との間に介在される筒状部（１１１）を有することを特徴とする請求項５に記載の防振支持装置。
【請求項９】
支持ステー（８）に挿通される軸（４）の上部に、前記支持ステー（８）の上面に支持される鍔部（１４２）を有するカラー（１４）が外挿され、前記鍔部（１４２）の上側に位置して、前記軸（４）に設けたホルダ（１５）との間に、ゴム状弾性材料からなる弾性体（１１Ｈ，１１Ｉ）を介在させたことを特徴とする防振支持装置。
【請求項１０】
支持ステー（８）の上面に接触されるカラー（１４）の鍔部（１４２）の下面（１４２ａ）が湾曲した凸面をなすことを特徴とする請求項９に記載の防振支持装置。
【請求項１１】
弾性体（１１Ｉ）が、カラー（１４）の軸孔（１４１ａ）とその内周に挿通された軸（４）との間に介在される筒状部（１１６）を有することを特徴とする請求項９に記載の防振支持装置。
【発明の詳細な説明】
【０００１】
【発明の属する技術分野】
本発明は、例えば洗濯機の洗濯槽のような、振動を発生する部分を弾性的に支持する防振支持装置に関するものである。
【０００２】
【従来の技術】
全自動洗濯機等は、洗濯槽の外周が、外筐の内側に、複数の吊軸を介して吊支されている。吊軸と洗濯槽との結合部には、洗濯槽の撹拌翼を回転させて洗濯を行ったり、脱水かごを回転させて洗濯物の脱水をした時の振動を低減するために、コイルスプリングを内蔵したアブソーバが介在されている。また、吊軸の上端は、外筐の上部内面に設けた支持ステーに、支持装置を介して結合されている。
【０００３】
図１５は、従来の技術による支持装置を示すもので、（Ａ）は平面図、（Ｂ）は（Ａ）におけるＢ−Ｂ断面図である。この支持装置１００は、合成樹脂材料で成形されたものであって、支持ステー１１０の穴１１０ａに遊挿される中空軸部１０１と、その上端に形成され支持ステー１１０の上面に支持される鍔部１０２と、鍔部１０２に形成されて吊軸１２０の上端にＬ字形に屈曲形成された被吊支部１２１との係合部１０３とを備えている（例えば下記特許文献１参照）。
【０００４】
【特許文献１】
特開２００１−１６２０８５
【０００５】
上述の構造によれば、洗濯槽で発生した振動は、アブソーバである程度吸収された後、吊軸１２０及び支持装置１００を介して外筐に伝達される。しかし、従来の支持装置１００は、径方向あるいはこじり方向の振動Ｖ２に対しては、鍔部１０２の球面状の下面１０２ａが支持ステー１１０の上面と摺動することによって振動を絶縁するが、この支持装置１００は剛性が大きいため、軸方向（上下方向）の振動Ｖ１を吸収することができず、したがって、外筐への伝達振動の吸収が十分ではなかった。
【０００６】
【発明が解決しようとする課題】
本発明は、上述のような問題に鑑みてなされたもので、その技術的課題は、洗濯機の洗濯槽のような、振動を発生する装置を、軸を介して弾性的に支持するものにおいて、軸を支持する支持装置の防振機能を高めることにある。
【０００７】
【課題を解決するための手段】
従来の技術的課題を有効に解決するための手段として、請求項１の発明に係る防振支持装置は、支持ステーに挿通された軸に、前記の支持ステーの上側に位置して外挿され、前記軸に設けた被吊支部との間に介在されたゴム状弾性材料からなる弾性体を備えるものである。
【０００８】
請求項２の発明に係る防振支持装置は、請求項１に記載の構成において、弾性体が、相対的に硬質のゴム状弾性材料で成形された下部硬質弾性体と、相対的に軟質のゴム状弾性材料で成形された上部軟質弾性体とからなる。
【０００９】
請求項３の発明に係る防振支持装置は、請求項１に記載の構成において、弾性体が、相対的に硬質のゴム状弾性材料で成形された下部硬質弾性体及び上部硬質弾性体と、この下部硬質弾性体及び上部硬質弾性体の間にあって、相対的に軟質のゴム状弾性材料で成形された中間軟質弾性体とからなる。
【００１０】
請求項４の発明に係る防振支持装置は、請求項１に記載の構成において、弾性体が、支持ステーの上面に転動可能に載置される円筒体の内周に設けられ、軸の被吊支部が、前記弾性体の内周に挿通されたものである。
【００１１】
請求項５の発明に係る防振支持装置は、請求項１に記載の構成において、軸が、支持ステーの上面に転動可能に載置された球体に遊挿され、弾性体が、前記軸の被吊支部と前記球体との間に挿通されたものである。
【００１２】
請求項６の発明に係る防振支持装置は、請求項１〜３のいずれかに記載の構成において、支持ステーの上面に接触される弾性体の下面が、湾曲した凸面をなすものである。
【００１３】
請求項７の発明に係る防振支持装置は、請求項４に記載の構成において、弾性体における軸の被吊支部が挿通された位置の両側にすぐりが形成されたものである。
【００１４】
請求項８の発明に係る防振支持装置は、請求項５に記載の構成において、弾性体が、球体の軸孔とその内周に挿通された軸との間に介在される筒状部を有するものである。
【００１５】
請求項９の発明に係る防振支持装置は、支持ステーに挿通される軸の上部に、前記支持ステーの上面に支持される鍔部を有するカラーが外挿され、前記鍔部の上側に位置して、前記軸に設けたホルダとの間に、ゴム状弾性材料からなる弾性体を介在させたものである。
【００１６】
請求項１０の発明に係る防振支持装置は、請求項９に記載の構成において、支持ステーの上面に接触されるカラーの鍔部の下面が湾曲した凸面をなす。
【００１７】
請求項１１の発明に係る防振支持装置は、請求項９に記載の構成において、弾性体が、カラーの軸孔とその内周に挿通された軸との間に介在される筒状部を有するものである。
【００１８】
【発明の実施の形態】
図１は、全自動洗濯機の概略構造を示す説明図である。すなわち、図１に示される全自動洗濯機において、参照符号１は外郭をなす外筐であり、上面に、図示されていない蓋で開閉される衣類出し入れ口１ａが開口され、図中左が正面側、右が背面側である。外筐１の下面の四隅近傍には、ゴム脚２が設けられ、外筐１、ひいては当該全自動洗濯機全体が、家屋等の床面に対して、このゴム脚２によって所定の高さに支持された状態で設置される。
【００１９】
外筐１の内側には洗濯槽３が配置され、外筐１の四隅上部の内側に結合された複数の吊軸４を介して外周を吊支されている。洗濯槽３の内側には脱水用の多数の穴があいた脱水かご５が配置されており、更にその底部には撹拌翼６が配置されている。洗濯槽３の底部からは、排水弁によって開閉される排水口３ａが延びている。脱水かご５及び撹拌翼６は回転可能に設けられており、図示されていないクラッチの切換操作によって、外筐１内部の下部室に設けたモータからの動力が伝達され、洗い及び濯ぎの際には撹拌翼６が正逆回転し、脱水の際には脱水かご５が回転する。脱水かご５の上縁部には、脱水かご５内に濡れた衣類が偏って存在することによる回転時の振れを極力防止する目的で、環状のバランサ５ａが設けられている。
【００２０】
洗濯槽３を吊支する複数の吊軸４は、それぞれ下端がコイルスプリングを内蔵したアブソーバ７を介して洗濯槽３のブラケット３ｂを支持しており、上端４ａが、外筐１の四隅上部内面に設けた支持ステー８に、本発明による防振支持装置１０を介して結合されている。
【００２１】
［第一の形態］
図２は、本発明に係る防振支持装置１０の第一の形態を示す装着状態の断面図である。吊軸４の上端４ａには、略Ｌ字形に屈曲した被吊支部４１が形成されており、外筐１の支持ステー８は、吊軸４よりも大径の穴８ａを有し、その周囲の上面が、テーパ状又は球面状に凹んだ受け部８ｂとなっている。
【００２２】
本形態の防振支持装置１０は、相対的に硬質のゴム状弾性材料で成形された下部硬質弾性体１１Ａと、相対的に軟質のゴム状弾性材料で成形された上部軟質弾性体１１Ｂとからなる。下部硬質弾性体１１Ａは、支持ステー８における受け部８ｂの上面と接触される下面１１ｂが、球面状の凸面をなし、上部軟質弾性体１１Ｂは、円盤状に形成されている。下部硬質弾性体１１Ａ及び上部軟質弾性体１１Ｂは、同時成形により互いに一体的に成形することができる。また、これら下部硬質弾性体１１Ａ及び上部軟質弾性体１１Ｂの内周部には、吊軸４を挿通する軸孔１１ａが連続して開設されている。
【００２３】
防振支持装置１０の軸孔１１ａに挿通された吊軸４は、支持ステー８の穴８ａを通って下方へ延びている。また、この吊軸４の上端４ａに屈曲形成された被吊支部４１は、洗濯槽３からの荷重によって、軟質のゴム状弾性材料で成形された上部軟質弾性体１１Ｂの上面に食い込んだ状態となっている。
【００２４】
以上の構成を備える防振支持装置１０において、吊軸４を介して洗濯槽３からの軸方向（上下方向）の振動Ｖ１が入力されると、吊軸４の被吊支部４１と支持ステー８の受け部８ｂとの間で、ゴム状弾性材料からなる防振支持装置１０が変形を受ける。特に、上部軟質弾性体１１Ｂは柔軟に変形するので、その低ばね特性によって、入力振動Ｖ１を吸収する。洗濯槽３に発生した軸方向の振動Ｖ１は、図１に示されるアブソーバ７によってある程度吸収されるが、吸収しきれなかった振動Ｖ１は、更に防振支持装置１０によって吸収されるので、洗濯機の外筐１の振動や騒音の発生を有効に抑制することができる。
【００２５】
また、洗濯槽３には、その内部で回転される洗浄水や洗濯物のアンバランスによって横方向の揺れが発生するため、洗濯槽３を吊支している各吊軸４にはこじり方向あるいは軸直角方向の振動Ｖ２が加わる。そして、このような振動Ｖ２が入力されると、防振支持装置１０は、その下部硬質弾性体１１Ａにおける球面状の凸面をなす下面１１ｂが、支持ステー８における受け部８ｂの上面と摺動することによって低ばねとなるので、外筐１への振動Ｖ２の伝達を有効に低減することができる。
【００２６】
［第二の形態］
図３は、本発明に係る防振支持装置１０の第二の形態を示す装着状態の断面図である。この形態による防振支持装置１０は、相対的に硬質のゴム状弾性材料で成形された下部硬質弾性体１１Ａ及び上部硬質弾性体１１Ｃと、この下部硬質弾性体１１Ａ及び上部硬質弾性体１１Ｃの間にあって、相対的に軟質のゴム状弾性材料で成形された中間軟質弾性体１１Ｄとからなる。下部硬質弾性体１１Ａは、支持ステー８におけるテーパ状又は球面状の受け部８ｂの上面と接触される下面１１ｂが、球面状の凸面をなし、上部硬質弾性体１１Ｃ及び中間軟質弾性体１１Ｄは、円盤状に形成されている。下部硬質弾性体１１Ａ、上部硬質弾性体１１Ｃ及び中間軟質弾性体１１Ｄは、同時成形により互いに一体的に成形することができる。また、これら下部硬質弾性体１１Ａ、上部硬質弾性体１１Ｃ及び中間軟質弾性体１１Ｄの内周部には、吊軸４を挿通する軸孔１１ａが連続して開設されている。
【００２７】
防振支持装置１０の軸孔１１ａに挿通された吊軸４は、支持ステー８の穴８ａを通って下方へ延びている。また、この吊軸４の上端４ａに屈曲形成された被吊支部４１は、洗濯槽３からの荷重によって、上部硬質弾性体１１Ｃの上面に食い込んだ状態となっているが、上部硬質弾性体１１Ｃは、相対的に硬質のゴム状弾性材料からなるため、先の図２に示される第一の形態に比較して、食い込み量が小さいものとなっている。
【００２８】
以上の構成を備える防振支持装置１０において、吊軸４を介して図１に示される洗濯槽３からの軸方向（上下方向）の振動Ｖ１が入力されると、この振動Ｖ１は、図１に示されるアブソーバ７によってある程度吸収されるが、吸収しきれなかった振動Ｖ１は、更に防振支持装置１０によって吸収される。この防振支持装置１０は、吊軸４の被吊支部４１と支持ステー８の受け部８ｂとの間で変形されるが、吊軸４の被吊支部４１を、硬質のゴム状弾性材料からなる上部硬質弾性体１１Ｃで受けることによって、被吊支部４１の食い込み量が小さく、中間軟質弾性体１１Ｄの局部的な圧縮が緩和され、これによって、低ばね特性が確保されている。このため、特に中間軟質弾性体１１Ｄの柔軟な変形性によって、伝達振動Ｖ１を有効に吸収し、洗濯機の外筐１の振動や騒音の発生を抑制することができる。
【００２９】
また、こじり方向あるいは軸直角方向の入力振動Ｖ２に対しては、図２に示される第一の形態と同様、防振支持装置１０は、その下部硬質弾性体１１Ａにおける球面状の凸面をなす下面１１ｂが、支持ステー８における受け部８ｂの上面と摺動することによって低ばねとなるので、外筐１への振動Ｖ２の伝達を有効に低減することができる。
【００３０】
［第三の形態］
図４は、本発明に係る防振支持装置１０の第三の形態を示す装着状態の断面図である。この形態においては、防振支持装置１０は、ゴム状弾性材料で成形された球状弾性体１１Ｅからなる。球状弾性体１１Ｅには、その中心を通って貫通した軸孔１１ａが開設されており、この軸孔１１ａに挿通された吊軸４は、支持ステー８の穴８ａを通って下方へ延びている。また、この吊軸４の上端４ａに屈曲形成された被吊支部４１は、洗濯槽３からの荷重によって、球状弾性体１１Ｅの上面の一部に食い込んだ状態となっている。
【００３１】
なお、その他の部分の構成は、先に説明した図２，図３と同様である。
【００３２】
以上の構成を備える防振支持装置１０において、吊軸４を介して図１に示される洗濯槽３からの軸方向（上下方向）の振動Ｖ１が入力されると、吊軸４の被吊支部４１と支持ステー８の受け部８ｂとの間で、球状弾性体１１Ｅからなる防振支持装置１０が変形を受けるので、そのばね特性によって入力振動Ｖ１を吸収し、洗濯機の外筐１の振動や騒音の発生を有効に抑制することができる。
【００３３】
また、洗濯槽３の横方向の揺れによって、吊軸４にこじり方向あるいは軸直角方向の振動Ｖ２が加わった場合は、防振支持装置１０は、その球状弾性体１１Ｅの球面状の凸面をなす下面１１ｂが、支持ステー８における受け部８ｂの上面と摺動することによって低ばねとなるので、外筐１への振動Ｖ２の伝達を有効に低減することができる。
【００３４】
［第四の形態］
図５は、本発明に係る防振支持装置１０の第四の形態を示す装着状態の断面図、図６は、同じく分離斜視図である。この形態において、防振支持装置１０は、支持ステー８の受け部８ｂの上面に転動可能に載置された合成樹脂製の球体１２を有し、この球体１２には、吊軸４が挿通されると共に、吊軸４の上部に外挿された弾性体１１Ｆが嵌合されており、この弾性体１１Ｆの一部が、吊軸４の上端４ａに屈曲形成された被吊支部４１と前記球体１２との間に介在している。
【００３５】
詳しくは、図６に示されるように、球体１２には、その中心を通って貫通した軸孔１２ａと、この軸孔１２ａからその軸心を通る平面と平行に延びるスリット１２ｂが形成されており、スリット１２ｂの幅Ｗは、軸孔１２ａの内径よりも僅かに小さく、かつ吊軸４の外径よりも大きいものとなっている。一方、弾性体１１Ｆは、球体１２の軸孔１２ａ内に嵌合されると共に内周に吊軸４が挿通される軸孔１１ａが開設された筒状部１１１と、その上端から鍔状に形成された本体部１１２とを有し、本体部１１２が、吊軸４の被吊支部４１と球体１２の上面部との間に介在されるようになっている。
【００３６】
したがって、吊軸４に弾性体１１Ｆを外挿した図６の状態から、まず弾性体１１Ｆの下側で、吊軸４を、スリット１２ｂを介して球体１２の軸孔１２ａ内へ横から通し、その後、軸孔１２ａ内へその上方から弾性体１１Ｆの筒状部１１１を挿入することで、弾性体１１Ｆと球体１２とを、図５の状態に容易に組み立てられる。また、弾性体１１Ｆの軸孔１１ａに挿通された吊軸４は、支持ステー８の穴８ａを通って下方へ延びている。
【００３７】
以上の構成を備える防振支持装置１０において、図５に示されるように、吊軸４を介して図１に示される洗濯槽３からの軸方向（上下方向）の振動Ｖ１が入力されると、吊軸４の被吊支部４１と支持ステー８の受け部８ｂとの間で、弾性体１１Ｆにおける本体部１１２が変形を受けるので、そのばね特性によって入力振動Ｖ１を吸収し、洗濯機の外筐１の振動や騒音の発生を有効に抑制することができる。
【００３８】
また、洗濯槽３の横方向の揺れによって、吊軸４にこじり方向あるいは軸直角方向の振動Ｖ２が加わった場合は、防振支持装置１０は、球体１２の下面１２ｃが、支持ステー８における受け部８ｂの上面と摺動又は転動することによって低ばねとなるので、外筐１への振動Ｖ２の伝達を有効に低減することができる。特に、このような振動Ｖ２が微小振幅である場合は、球体１２の転動を伴わなくても、その軸孔１２ａと吊軸４との間で、弾性体１１Ｆの筒状部１１１が微小変形を受けることによって、振動Ｖ２が有効に絶縁される。
【００３９】
［第五の形態］
図７は、本発明に係る防振支持装置１０の第五の形態を示す斜視図、図８は、同じく断面図である。この形態において、防振支持装置１０は、支持ステー８の上面に転動可能に載置される金属又は合成樹脂製の円筒体１３と、その内周に設けられたゴム状弾性材料からなる弾性体１１Ｇとを備え、吊軸４は、支持ステー８の穴８ａを通って下方へ延びると共に、その上端４ａに屈曲形成された被吊支部４１が、弾性体１１Ｇの内周に挿通されている。また、弾性体１１Ｇには、吊軸４の被吊支部４１が挿通された部分の上下両側に位置して、すぐり１１ｃ，１１ｄが形成されている。
【００４０】
以上の構成を備える防振支持装置１０において、図７に示されるように、吊軸４を介して図１に示される洗濯槽３からの軸方向（上下方向）の振動Ｖ１が入力されると、吊軸４の被吊支部４１と、支持ステー８上に支持された円筒体１３との間で、弾性体１１Ｇが変形を受ける。そしてこの変形は、すぐり１１ｃ，１１ｄ間の部分１１３，１１４の剪断方向へ生じるため、ばね定数が低いものとなり、入力振動Ｖ１を有効に絶縁して、洗濯機の外筐１の振動や騒音の発生を抑制することができる。
【００４１】
また、洗濯槽３の横方向の揺れによって、吊軸４に、その被吊支部４１を中心とする軸直角方向の振動Ｖ２Ｘが加わった場合は、防振支持装置１０は、円筒体１３が、支持ステー８の上面と摺動又は転動することによって低ばねとなるので、外筐１への振動Ｖ２Ｘの伝達を有効に低減することができる。
【００４２】
また、洗濯槽３の横方向の揺れによって、吊軸４に、その被吊支部４１に対してもこじり方向又は軸直角方向となる振動Ｖ２Ｙが加わった場合は、防振支持装置１０は、円筒体１３と前記被吊支部４１との間で、弾性体１１Ｇにおけるすぐり１１ｃ，１１ｄ間の部分１１３，１１４が、図８に矢印Ｆで示される方向へ捩られるように剪断を受けることになるので、低ばねとなり、外筐１への振動Ｖ２Ｙの伝達を有効に低減することができる。
【００４３】
［第六の形態］
図９は、本発明に係る防振支持装置１０の第六の形態を示す装着状態の断面図である。この形態において、防振支持装置１０は、吊軸４の上部に外挿されるカラー１４と、このカラー１４の鍔部１４２の上側に配置されると共に、吊軸４の上端４ａに取り付けたホルダ１５と、前記鍔部１４２とホルダ１５の間に介在された弾性体１１Ｈとを備える。
【００４４】
カラー１４は合成樹脂材料で成形されたものであって、支持ステー８に開設された穴８ａに遊挿される中空軸部１４１と、その上端に形成され支持ステー８における受け部８ｂの上面に支持される鍔部１４２と、この鍔部１４２の外周から上方へ延びる周壁部１４３からなり、中空軸部１４１の内周の軸孔１４１ａに吊軸４が挿通されるようになっている。鍔部１４２の下面１４２ａは球面状凸面をなし、支持ステー８における受け部８ｂの凹面状の上面と線接触又は面接触している。軸孔１４１ａが開口した鍔部１４２の上面内周には環状突条１４４が形成されている。
【００４５】
ホルダ１５は金属板又は合成樹脂で円盤状に形成されたものであって、その外径はカラー１４における周壁部１４３の内径よりも適宜小径であり、吊軸４の上端４ａに、図示されていない止め環やネジなど、適当な固定手段によって取り付けられている。すなわち、先に説明した各形態においては、吊軸４を、その上端を屈曲させた被吊支部４１によって抜け止めしているのに対し、本形態では、吊軸４を屈曲させずにホルダ１５によって抜け止めしている。
【００４６】
弾性体１１Ｈは、ゴム状弾性材料で環状に成形されたものであって、その下部はカラー１４における環状突条１４４の外周に圧入嵌着されており、上部には、ホルダ１５の下面と当接される環状プレート１６が配置され、その内周に形成された環状突条１６ａが圧入嵌着されている。なお、弾性体１１Ｈはカラー１４及びホルダ１５と一体的に接着しても良い。
【００４７】
以上の構成を備える防振支持装置１０において、吊軸４を介して図１に示される洗濯槽３からの軸方向（上下方向）の振動Ｖ１が入力されると、吊軸４の上端４ａに設けたホルダ１５に上面を支持されたプレート１６と、支持ステー８上に支持されたカラー１４の鍔部１４２との間で、弾性体１１Ｈが変形を受けるので、そのばね特性によって入力振動Ｖ１を吸収し、洗濯機の外筐１の振動や騒音の発生を有効に抑制することができる。
【００４８】
また、洗濯槽３の横方向の揺れによって、吊軸４にこじり方向あるいは軸直角方向の振動Ｖ２が加わった場合は、カラー１４における鍔部１４２の球面状凸面をなす下面１４２ａが、支持ステー８におけるテーパ状又は球面状凹面をなす受け部８ｂの上面と摺動することによって低ばねとなるので、外筐１への振動Ｖ２の伝達を有効に低減することができる。
【００４９】
［第七の形態］
図１０は、本発明に係る防振支持装置１０の第七の形態を示すもので、（Ａ）は平面図、（Ｂ）は（Ａ）におけるＢ−Ｏ−Ｂ’で切断した装着状態の断面図である。この形態における防振支持装置１０は、吊軸４の上端４ａをＬ字形に屈曲した被吊支部４１によって、この吊軸４を抜け止めするものについて実施されるものであり、吊軸４の上部に外挿されるカラー１４と、このカラー１４の鍔部１４２の上側に配置されると共に、吊軸４の上端４ａに屈曲形成した被吊支部４１に嵌合したホルダ１５と、前記鍔部１４２とホルダ１５の間に介在された弾性体１１Ｈとを備えている。
【００５０】
図１１は、図１０の第七の形態におけるカラー１４を示すもので、（Ａ）は平面図、（Ｂ）は（Ａ）におけるＢ−Ｏ−Ｂ’で切断した断面図である。この図１１にも示されるように、カラー１４は合成樹脂材料で成形されたものであって、図１０の支持ステー８に開設された穴８ａに遊挿される中空軸部１４１と、その上端に形成され支持ステー８における受け部８ｂの上面に支持される鍔部１４２と、この鍔部１４２の外周から上方へ延びる周壁部１４３からなり、中空軸部１４１の内周の軸孔１４１ａに吊軸４が挿通されるようになっている。鍔部１４２の下面１４２ａは、支持ステー８における受け部８ｂ上面のテーパ状又は球面状凹面と線接触又は面接触する球面状凸面をなしており、鍔部１４２の上面には複数の係合突条１４５が放射状に形成されている。
【００５１】
図１２は、図１０の第七の形態におけるホルダ１５を示すもので、（Ａ）は平面図、（Ｂ）は（Ａ）におけるＢ−Ｂ’で切断した断面図、（Ｃ）は（Ａ）におけるＣ方向の矢視図である。この図１２にも示されるように、ホルダ１５は、金属板を打ち抜きプレス成形することにより製作され、あるいは合成樹脂で成形されたものであって、カップ部１５１と、その底面中央部から下方へ突出した軸孔部１５２と、カップ部１５１の上端から展開した鍔部１５３と、カップ部１５１の円周方向一箇所から鍔部１５３の径方向へ延びる樋状係合部１５４とを有する。軸孔部１５２には図１０に示されるように吊軸４が挿通可能であり、鍔部１５３は図１１に示されるカラー１４における周壁部１４３の内径よりも小径に形成され、樋状係合部１５４には、吊軸４の被吊支部４１が係合可能となっている。
【００５２】
図１０に示されるように、弾性体１１Ｈはゴム状弾性材料で環状に成形されたものであって、カラー１４における周壁部１４３の内周に収容され、上部１１ｅの内周に、ホルダ１５のカップ部１５１、軸孔部１５２及び樋状係合部１５４が嵌合され、上面にホルダ１５の鍔部１５３が密接される。この弾性体１１Ｈは上部１１ｅに比較して下部１１ｆが適宜小径に形成されており、このため、軸方向（上下方向）に圧縮を受けることによって径方向へ膨張変形しても、下部１１ｆの外周面とカラー１４における周壁部１４３の内周面との間には適当なクリアランスが形成されるようになっている。
【００５３】
弾性体１１Ｈの上部１１ｅは、ホルダ１５の鍔部１５３よりも大径に形成されており、その外周面がカラー１４における周壁部１４３の内周面と接触可能となっている。また、ホルダ１５における軸孔部１５２の下端は、弾性体１１Ｈが上下方向へある程度の圧縮を受けても、カラー１４における鍔部１４２の上面と非接触の状態が保たれるようになっている。更に、弾性体１１Ｈの下面は、係合突条１４５が放射状に形成されたカラー１４の鍔部１４２の上面に押し付けられることによって凹凸係合している。なお、弾性体１１Ｈとカラー１４及びホルダ１５は、一体的に接着しても良い。
【００５４】
この第七の形態による防振支持装置１０の装着に際しては、被吊支部４１を屈曲形成していない吊軸４の上部に、当該防振支持装置１０におけるカラー１４、弾性体１１Ｈ及びホルダ１５を順に通した後で、吊軸４の上端４ａを屈曲させて被吊支部４１を形成し、この被吊支部４１をホルダ１５の樋状係合部１５４に嵌め込んで係止させる。そして吊軸４及びカラー１４の中空軸部１４１を支持ステー８の穴８ａに挿通し、吊軸４の下端を図１に示されるアブソーバ７を介して洗濯槽３のブラケット３ｂに取り付ける。
【００５５】
以上の構成を備える防振支持装置１０において、吊軸４を介して図１に示される洗濯槽３からの軸方向（上下方向）の振動Ｖ１が入力されると、吊軸４の被吊支部４１に係止されたホルダ１５と、支持ステー８の受け部８ｂ上に支持されたカラー１４の鍔部１４２との間で、弾性体１１Ｈが変形を受けるので、そのばね特性によって入力振動Ｖ１を吸収し、洗濯機の外筐１の振動や騒音の発生を有効に抑制することができる。
【００５６】
洗濯槽３の横方向の揺れによって、吊軸４にこじり方向あるいは軸直角方向の振動Ｖ２が加わった場合は、吊軸４の変位が弾性体１１Ｈとカラー１４の接触部及び中空軸部１４１を介してカラー１４に伝達され、このカラー１４の変位によって、鍔部１４２の球面状凸面をなす下面１４２ａが、支持ステー８における球面状凹面をなす受け部８ｂの上面と摺動して低ばねとなるので、外筐１への径方向の振動Ｖ２の伝達を有効に低減することができる。
【００５７】
また、吊軸４は、その被吊支部４１がホルダ１５の樋状係合部１５４に嵌め込まれていることによって、このホルダ１５と円周方向に係合しており、ホルダ１５は、樋状係合部１５４が弾性体１１Ｈの円周方向一部と嵌合していることによって、この弾性体１１Ｈと円周方向に係合しており、弾性体１１Ｈの下面は、カラー１４における鍔部１４２に形成された係合突条１４５と凹凸係合していることによって、このカラー１４と円周方向に係合しているので、吊軸４、ホルダ１５、弾性体１１Ｈ及びカラー１４の相対的な捩り変位が抑制される。
【００５８】
［第八の形態］
図１３は、本発明に係る防振支持装置１０の第八の形態を示す装着状態の断面図である。この形態における防振支持装置１０は、上述した図１０に示される形態と基本的には同様であって、吊軸４の上部に外挿されるカラー１４と、このカラー１４の鍔部１４２の上側に配置されると共に、吊軸４の上端４ａに屈曲形成した被吊支部４１に嵌合されるホルダ１５と、前記鍔部１４２とホルダ１５の間に介在された弾性体１１Ｉとを備えている。図１０のものと異なるところは、カラー１４及び弾性体１１Ｉの形状にある。
【００５９】
すなわち、カラー１４は、図１０における周壁部１４３が形成されておらず、支持ステー８に開設された穴８ａに遊挿される中空軸部１４１と、その上端に形成され支持ステー８における受け部８ｂの上面に支持される鍔部１４２とからなるものである。また、弾性体１１Ｉは、カラー１４における鍔部１４２とホルダ１５におけるカップ部１５１との間に介在される厚肉環状部１１５と、その内周部から延在されてカラー１４における中空軸部１４１の軸孔１４１ａとこれに挿通される吊軸４との間に介在される薄肉筒状部１１６とからなる。厚肉環状部１１５の外周面には、その軸方向圧縮ばね定数を低下させる環状凹部１１ｇが形成されている。
【００６０】
したがって、以上の構成を備える防振支持装置１０の場合も、吊軸４を介して図１に示される洗濯槽３からの軸方向（上下方向）の振動Ｖ１が入力されると、吊軸４の被吊支部４１に係止されたホルダ１５と、支持ステー８の受け部８ｂ上に支持されたカラー１４の鍔部１４２との間で、弾性体１１Ｉの厚肉環状部１１５が変形を受けるので、その低ばね特性によって、入力振動Ｖ１を吸収し、洗濯機の外筐１の振動や騒音の発生を有効に抑制することができる。
【００６１】
洗濯槽３の横方向の揺れによって、吊軸４にこじり方向あるいは軸直角方向の振動Ｖ２が加わった場合は、吊軸４の変位が弾性体１１Ｉの薄肉筒状部１１６及び中空軸部１４１を介してカラー１４に伝達され、このカラー１４の変位によって、鍔部１４２の球面状凸面をなす下面１４２ａが、支持ステー８における球面状凹面をなす受け部８ｂの上面と摺動して低ばねとなるので、外筐１への径方向の振動Ｖ２の伝達を有効に低減することができる。しかも、前記振動Ｖ２の振幅が微小である場合は、吊軸４と中空軸部１４１の間で弾性体１１Ｉの薄肉筒状部１１６が微小変形を受けることによって、振動Ｖ２が有効に吸収され、前記振動Ｖ２の振幅が比較的大きい場合は、薄肉筒状部１１６の径方向ばね定数が大きくなって、過大変位を抑制する効果が得られる。
【００６２】
なお、この第八の形態による防振支持装置１０の装着方法も、先に説明した第七の形態（図１０）と同様であり、すなわち、被吊支部４１が未形成の吊軸４の上部に、カラー１４、弾性体１１Ｉ及びホルダ１５を順に通した後で、吊軸４の上端４ａを屈曲させて被吊支部４１を形成し、この被吊支部４１をホルダ１５の樋状係合部１５４に嵌め込んで係止させてから、吊軸４及びカラー１４の中空軸部１４１を支持ステー８の穴８ａに挿通し、吊軸４の下端を図１に示されるアブソーバ７を介して洗濯槽３のブラケット３ｂに取り付ければ良い。
【００６３】
［第九の形態］
図１４は、本発明に係る防振支持装置１０の第九の形態を示す装着状態の断面図である。この形態における防振支持装置１０は、弾性体１１Ｉが、カラー１４の鍔部１４２とホルダ１５のカップ部１５１との間に介在される厚肉環状部１１５と、カラー１４における中空軸部１４１の軸孔１４１ａと吊軸４との間に介在される薄肉筒状部１１６に分割形成されている点のみが、上述した図１３に示される形態と異なるものである。
【００６４】
なお、本発明は上述した実施の形態に限定されるものではなく、例えば乾燥機など、振動を発生する部材を軸によって支持する機器においても、軸の支持部に同様に実施可能である。
【００６５】
【発明の効果】
請求項１の発明に係る防振支持装置は、ゴム状弾性材料からなり、軸に外挿されて、支持ステーと軸の被吊支部との間で変形を受けるようにしたため、軸を介して入力される軸方向振動を、ゴム状弾性材料のばね特性によって、有効に低減することができる。
【００６６】
請求項２の発明に係る防振支持装置によれば、相対的に硬質のゴム状弾性材料で成形された下部硬質弾性体と、相対的に軟質のゴム状弾性材料で成形された上部軟質弾性体とからなるため、軸方向振動に対しては、上部軟質弾性体の低ばね特性によって優れた防振性能を発揮することができる。また、軸のこじり方向あるいは軸直角方向の振動の入力に対しては、下部硬質弾性体が支持ステーにおける受け部の上面と摺動することによって、このようなこじり方向あるいは軸直角方向振動を有効に吸収することができる。
【００６７】
請求項３の発明に係る防振支持装置によれば、相対的に硬質のゴム状弾性材料で成形された下部硬質弾性体及び上部硬質弾性体と、相対的に軟質のゴム状弾性材料で成形された中間軟質弾性体とからなり、軸に設けた被吊支部を、上部硬質弾性体で受けることによって中間軟質弾性体の低ばね性が確保されるため、請求項２による効果に加え、軸方向振動に対する一層優れた防振性能を発揮することができる。
【００６８】
請求項４の発明に係る防振支持装置によれば、弾性体が、支持ステーの上面に転動可能に載置される円筒体の内周に設けられ、軸の被吊支部が、前記弾性体の内周に挿通されているため、軸方向振動に対しては、弾性体のばね特性によって優れた防振性能を発揮し、軸のこじり方向あるいは軸直角方向の振動の入力に対しては、円筒体の転動あるいは弾性体の剪断変形による防振性能を発揮することができる。
【００６９】
請求項５の発明に係る防振支持装置によれば、軸方向振動に対しては、弾性体のばね特性によって優れた防振性能を発揮することができ、軸のこじり方向あるいは軸直角方向の振動の入力に対しては、支持ステー上での球体の転動によって、防振性能を発揮することができる。
【００７０】
請求項６の発明に係る防振支持装置によれば、支持ステーの上面に接触される弾性体の下面が、湾曲した凸面をなすものであるため、軸のこじり方向あるいは軸直角方向の振動が入力されると、弾性体の凸面状の下面が、支持ステーにおける受け部の上面と摺動することによって低ばねとなるので、こじり方向あるいは軸直角方向振動を有効に吸収することができる。
【００７１】
請求項７の発明に係る防振支持装置によれば、円筒体の内周の弾性体が、軸の被吊支部の両側に形成されたすぐりによって、軸方向振動に対しても、こじり方向あるいは軸直角方向の振動に対しても、剪断による低ばね特性を発揮するので、請求項４による効果を一層優れたものとすることができる。
【００７２】
請求項８の発明に係る防振支持装置によれば、請求項５による効果に加え、こじり方向あるいは軸直角方向の振動に対して、球体の軸孔と軸との間で弾性体の筒状部が微小変形を受けることによる優れた防振効果が得られる。
【００７３】
請求項９の発明に係る防振支持装置によれば、軸方向振動に対し、支持ステーの上面に支持されるカラーの鍔部と、その上側に位置して軸に設けたホルダとの間に介在する弾性体のばね特性によって、優れた防振性能を発揮することができる。また、軸のこじり方向あるいは軸直角方向の振動の入力に対しては、カラーにおける鍔部が支持ステーにおける受け部の上面と摺動することによって、このようなこじり方向あるいは軸直角方向振動を有効に吸収することができる。
【００７４】
請求項１０の発明に係る防振支持装置によれば、支持ステーの上面に接触されるカラーの下面が、湾曲した凸面をなすものであるため、軸のこじり方向あるいは軸直角方向の振動が入力されると、カラーの凸面状の下面が、支持ステーにおける受け部の上面と摺動することによって低ばねとなり、請求項９の効果に加えて、こじり方向あるいは軸直角方向振動も有効に吸収することができる。
【００７５】
請求項１１の発明に係る防振支持装置によれば、こじり方向あるいは軸直角方向の振動の振幅が微小である場合に、カラーの軸孔と軸との間で弾性体の筒状部が微小変形を受けるので、請求項９の効果に加えて、一層優れた防振効果が得られる。
【図面の簡単な説明】
【図１】全自動洗濯機の概略構造を示す説明図である。
【図２】本発明に係る防振支持装置の第一の形態を示す装着状態の断面図である。
【図３】本発明に係る防振支持装置の第二の形態を示す装着状態の断面図である。
【図４】本発明に係る防振支持装置の第三の形態を示す装着状態の断面図である。
【図５】本発明に係る防振支持装置の第四の形態を示す装着状態の断面図である。
【図６】第四の形態において球体と弾性体を分離して示す斜視図である。
【図７】本発明に係る防振支持装置の第五の形態を示す斜視図である。
【図８】本発明に係る防振支持装置の第五の形態を示す装着状態の断面図である。
【図９】本発明に係る防振支持装置の第六の形態を示す装着状態の断面図である。
【図１０】本発明に係る防振支持装置の第七の形態を示すもので、（Ａ）は平面図、（Ｂ）は（Ａ）におけるＢ−Ｏ−Ｂ’で切断した装着状態の断面図である。
【図１１】本発明に係る防振支持装置の第七の形態におけるカラーを示すもので、（Ａ）は平面図、（Ｂ）は（Ａ）におけるＢ−Ｏ−Ｂ’で切断した断面図である。
【図１２】本発明に係る防振支持装置の第七の形態におけるホルダを示すもので、（Ａ）は平面図、（Ｂ）は（Ａ）におけるＢ−Ｂ’で切断した断面図、（Ｃ）は（Ａ）におけるＣ方向の矢視図である。
【図１３】本発明に係る防振支持装置の第八の形態を示す装着状態の断面図である。
【図１４】本発明に係る防振支持装置の第九の形態を示す装着状態の断面図である。
【図１５】従来の技術による支持装置を示すもので、（Ａ）は平面図、（Ｂ）は（Ａ）におけるＢ−Ｂ断面図である。
【符号の説明】
４　吊軸（軸）
４１　被吊支部
８　支持ステー
８ａ　穴
１０　防振支持装置
１１Ａ　下部硬質弾性体
１１Ｂ　上部軟質弾性体
１１Ｃ　上部硬質弾性体
１１Ｄ　中間軟質弾性体
１１Ｅ　球状弾性体
１１Ｆ〜１１Ｉ　弾性体
１１ａ，１２ａ　軸孔
１１ｂ　下面
１１ｃ，１１ｄ　すぐり
１１１　筒状部
１１２　本体部
１１３，１１４　すぐりの間の部分
１１５　厚肉環状部
１１６　薄肉筒状部
１２　球体
１２ｂ　スリット
１３　円筒体
１４　カラー
１４１　中空軸部
１４２　鍔部
１４３　周壁部
１４５　係合突条
１５　ホルダ
１５１　カップ部
１５２　軸孔部
１５３　鍔部
１５４　樋状係合部
１６　環状プレート
【図１】
2004084921.tif 000003
【図２】
2004084921.tif 000004
【図３】
2004084921.tif 000005
【図４】
2004084921.tif 000006
【図５】
2004084921.tif 000007
【図６】
2004084921.tif 000008
【図７】
2004084921.tif 000009
【図８】
2004084921.tif 000010
【図９】
2004084921.tif 000011
【図１０】
2004084921.tif 000012
【図１１】
2004084921.tif 000013
【図１２】
2004084921.tif 000014
【図１３】
2004084921.tif 000015
【図１４】
2004084921.tif 000016
【図１５】
2004084921.tif 000017